(57)【要約】【課題】最終製品をさらに薄型化すると同時に、組み立てが容易となり製造時にコストを低減することができるウィンドウ組立体が具備された表示素子及びこれを含む携帯用端末を提供する。【解決手段】所定の開口が形成されて前記開口周縁の一方に所定の段差３１２が形成されたケース部３１０と、前記ケース部３１０の一方面に形成される前記段差３１２に、一方面が連結されるウィンドウ部材３３０と、前記ウィンドウ部材３３０の前記段差３１２と連結される面の他方面に、一方面が近接配置される表示部３５０と、前記表示部３５０及び前記ウィンドウ部材３３０を相互接着させるために、前記表示部３５０及び前記ウィンドウ部材３３０の間に具備される接着手段３９０と、前記表示部３５０に光を透写するために、前記表示部３５０が前記ウィンドウ部材３３０に密着される面の他方面に提供されるバックライトユニット３７０と、を含んでなる。【選択図】図７
2007140471.tif 000002
【特許請求の範囲】
【請求項１】
所定の開口が形成されて前記開口周縁の一方に所定の段差が形成されたケース部と、
前記ケース部の一方面に形成される前記段差に、一方面が連結されるウィンドウ部材と、
前記ウィンドウ部材の前記段差と連結される面の他方面に、一方面が近接配置される表示部と、
前記表示部及び前記ウィンドウ部材を相互に接着させるために、前記表示部及び前記ウィンドウ部材の間に具備される接着手段と、
前記表示部に光を透写するために、前記表示部の前記ウィンドウ部材に近接配置される面の他方面に提供されるバックライトユニットと、
を含むことを特徴とするウィンドウ組立体が具備された表示素子。
【請求項２】
前記表示部の外周は、当該表示部に近接配置される前記ウィンドウ部材の外周と一致することを特徴とする請求項１に記載のウィンドウ組立体が具備された表示素子。
【請求項３】
前記接着手段は、前記表示部における前記ウィンドウ部材が近接配置される面、及び前記ウィンドウ部材における前記表示部が近接配置される面の少なくとも１つに、当該表示部及びウィンドウ部材の少なくとも１つの外形寸法より小さいか同寸法であり、
前記ウィンドウ部材に対して前記表示部が、所定の開口が形成されるように構成されることを特徴とする請求項１に記載のウィンドウ組立体が具備された表示素子。
【請求項４】
前記ウィンドウ部材及び前記表示部は長方形で構成され、
前記接着手段は、前記表示部と前記ウィンドウ部材の各近接配置される面上の最外側に沿って、その外周が前記表示部及び前記ウィンドウ部材の少なくとも１つの外形寸法に一致するように形成され、前記長方形の表示部及び前記ウィンドウ部材の少なくとも１つの対向する辺に対応して設けられることを特徴とする請求項３に記載のウィンドウ組立体が具備された表示素子。
【請求項５】
前記接着手段は、前記表示部と前記ウィンドウ部材の各近接配置される面上の最外側に沿って、その外周が前記表示部及前記ウィンドウ部材の少なくとも１つの外形寸法に一致するように形成され、当該接着手段の内側に前記表示部の一部が露出するように所定の閉区間を成しながら設けられることを特徴とする請求項３に記載のウィンドウ組立体が具備された表示素子。
【請求項６】
前記バックライトユニットにはハウジング手段が具備され、前記表示部の外周面が前記ハウジング手段で囲まれるように構成されたことを特徴とする請求項１に記載のウィンドウ組立体が具備された表示素子。
【請求項７】
前記バックライトユニットにはハウジング手段が具備され、前記表示部及び前記ウィンドウ部材の外周面が前記ハウジング手段で囲まれるように構成されたことを特徴とする請求項１に記載のウィンドウ組立体が具備された表示素子。
【請求項８】
前記ウィンドウ部材は、前記段差が形成された前記ケース部の前記開口に一致するように段差を成して形成されることを特徴とする請求項１に記載のウィンドウ組立体が具備された表示素子。
【請求項９】
前記表示部は、液晶表示装置用表示部であることを特徴とする請求項１に記載のウィンドウ組立体が具備された表示素子。
【請求項１０】
前記ウィンドウ部材は、少なくとも可視光領域の光を透過することができるように構成されることを特徴とする請求項１に記載のウィンドウ組立体が具備された表示素子。
【請求項１１】
前記接着手段は、前記バックライトユニット及び前記ケース部の間にさらに具備されることを特徴とする請求項１に記載のウィンドウ組立体が具備された表示素子。
【請求項１２】
請求項１〜１１の少なくとも１項に記載のウィンドウ組立体が具備された表示素子と、
前記表示素子に表示信号を入力するために入力信号を送り出すことができるように構成される入力部と、
前記入力部の入力信号及び前記表示素子の表示信号を制御する制御部と、
を含んでなることを特徴とする携帯用端末。
【発明の詳細な説明】
【技術分野】
【０００１】
本発明はウィンドウ組立体が具備された表示素子及びこれを含む携帯用端末に関し、より詳細には、薄型化と同時に組み立てが容易となり、耐衝撃性が増大されて接合空間を確保することにより、円滑な工程の遂行が可能であり、生産歩留まりをさらに増加させることができるウィンドウ組立体が具備された表示素子及びこれを含む携帯用端末に関する。
【背景技術】
【０００２】
一般に、携帯電話やＰＤＡなどの携帯用通信機器を含む複数の電子機器には、ディスプレイのための表示素子が提供され、このような表示素子としてＬＣＤが通常的に使われている。
【０００３】
このような表示素子のＬＣＤには、これを外部と遮断させて保護するためのウィンドウが設置され、電子機器のケース上にＬＣＤを外部に露出させるための開放部が形成され、前記開放部にウィンドウが結合されて表示装置用ウィンドウ組立体を成すことによって、ＬＣＤが外部に映される状態で保護される。
【０００４】
以下では、図面を参照して、携帯用端末の表示素子において用いられる従来のウィンドウ組立体を具体的に説明する。
【０００５】
図１は、従来の携帯用端末を示す外観斜視図であり、図２は図１の表示素子の一部を概略的に示す断面図である。
【０００６】
図１に示されるように、従来の携帯用端末１は、使用者が一定の信号を認識するように表示する表示素子部１００と、表示素子部１００に表示信号を入力させる入力部２００をその主要構成とし、図面上には図示されないが、入力部２００の入力信号及び表示素子部１００の表示信号を制御する制御部が含まれる。
【０００７】
このような従来の携帯用端末１の表示素子部１００は、図２を参照すれば、外形を構成するケース１１０と、このケース１１０に設置されるウィンドウ１３０及びこのウィンドウ１３０とケース１１０に実装されて携帯用端末１の内部に収納される表示部１５０及びバックライトユニット１７０を含んでなる。
【０００８】
ケース１１０は、携帯用端末１の外形を成す部材であり、その内部に内蔵される表示部１５０の画面を外部に見せるために所定の開口が形成され、その開口の周縁に沿って係止突起１１２が形成される。
【０００９】
ウィンドウ１３０は、ケース１１０の係止突起１１２に設置されるもので、ケース１１０内部に内蔵される表示部１５０を外部環境から保護するように構成される。
【００１０】
表示部１５０は、携帯用端末１の駆動によって表示信号を放射してこれを使用者が認識可能にするためのものであり、携帯用端末１の内部、すなわち、ケース１１０の内部に、ウィンドウ１３０に対応するように内蔵されて構成される。
【００１１】
表示部１５０をケース１１０の内部に実装するにあたり、表示部１５０は、これに光を透写させるバックライトユニット１７０に収納され、このバックライトユニット１７０がテープ１９０によってケース１１０の内面に付着されて、バックライトユニット１７０に収納される表示部１５０が固定される。
【００１２】
このとき、ケース１１０の係止突起１１２に設置されるウィンドウ１３０と表示部１５０の間には、間隙ｇ１が発生し、この間隙ｇ１は、携帯用端末１の表示素子部１００の厚さｔ１を決める重要な要素になる。
【００１３】
したがって、携帯用端末１の薄型化においては、表示素子部１００の厚さｔ１を決めるこのような間隙ｇ１の減少がまず要求される。
【００１４】
また、前記のような構造では、外部に加えられる衝撃に対して耐衝撃性が低く、ケース１１０の内側にバックライトユニット１７０を接合するので、接合空間が充分に確保されず、工程が煩わしくなって歩留まりが落ちるという問題点がある。
【００１５】
一方、前記従来のウィンドウ組立体が具備された表示素子及びこれを含む携帯用端末に関する技術を記載した文献としては、下記特許文献１等がある。
【特許文献１】米国特開第２００３／００４０２８７Ａ１号公報
【発明の開示】
【発明が解決しようとする課題】
【００１６】
本発明は上記従来の問題点を解決するために考案された発明であり、その目的は、最終製品をさらに薄型化すると同時に、従来に比べて組み立てが容易となり製造時にコストを低減することができるウィンドウ組立体が具備された表示素子及びこれを含む携帯用端末を提供することである。
【課題を解決するための手段】
【００１７】
上述した目的を果たすために、本発明に係るウィンドウ組立体が具備された表示素子は、所定の開口が形成され、前記開口周縁の一方に所定の段差が形成されたケース部と、前記ケース部の一方面に形成される前記段差に、一方面が連結されるウィンドウ部材と、前記ウィンドウ部材の前記段差と連結される面の他方面に一方面が近接配置される表示部と、前記表示部及び前記ウィンドウ部材を相互に接着させるために前記表示部及び前記ウィンドウ部材の間に具備される接着手段と、前記表示部に光を透写するために前記表示部の前記ウィンドウ部材に近接配置される面の他方面に提供されるバックライトユニットと、を含んでなる。
【００１８】
ここで、前記表示部の外周は、当該表示部に近接配置される前記ウィンドウ部材の外周と一致することが好ましい。
【００１９】
また、前記接着手段は、前記表示部における前記ウィンドウ部材が近接配置される面及び前記ウィンドウ部材における前記表示部が近接配置される面に、当該表示部及びウィンドウ部材の少なくとも１つの外形寸法より小さいか同寸法であり、前記ウィンドウ部材に対して前記表示部が、所定の開口が形成されるように構成される。前記ウィンドウ部材及び前記表示部は長方形で構成され、前記接着手段は前記表示部と前記ウィンドウ部材の各近接配置される面上の最外側に沿って、その外周が前記表示部及び前記ウィンドウ部材の少なくとも１つの外形寸法に一致するように形成され、長方形の前記表示部及び前記ウィンドウ部材の少なくとも１つの対向する辺に対応して設けられる。または、前記接着手段は、前記表示部と前記ウィンドウ部材の各近接配置される面上の最外側に沿って、その外周が前記表示部及び前記ウィンドウ部材の少なくとも１つの外形寸法に一致するように形成され、当該接着手段の内側に前記表示部の一部が露出するように所定の閉区間を成しながら設けられる。
【００２０】
また、前記バックライトユニットには、ハウジング手段が具備され、前記表示部の外周面が前記ハウジング手段によって囲まれるように構成することができ、または、前記バックライトユニットには、ハウジング手段が具備され、前記表示部及び前記ウィンドウ部材の外周面が前記ハウジング手段によって囲まれるように構成することができる。
【００２１】
さらに、前記ウィンドウ部材は、前記段差が形成された前記ケース部の前記開口に一致するように段差を成して形成することができる。
【００２２】
このような構成において、前記表示部は、液晶表示装置用表示部であることも可能であり、前記ウィンドウ部材は、少なくとも可視光領域の光を透過することができるように構成されることが好ましい。
【００２３】
また、前記接着手段は、前記バックライトユニット及び前記ケース部の間にさらに具備することもできる。
【００２４】
また、本発明によるウィンドウ組立体が具備された表示素子を含む携帯用端末は、ウィンドウ組立体が具備された表示素子と、前記表示素子に表示信号を入力するために入力信号を送り出すことができるように構成される入力部と、前記入力部の入力信号及び前記表示素子の表示信号を制御する制御部と、を含んでなる。
【発明の効果】
【００２５】
以上説明したように、本発明に係るウィンドウ組立体が具備された表示素子及びこれを含む携帯用端末によれば、最終製品をさらに薄型化すると同時に、従来に比べて組み立てが容易となり、製造時にコストを低減することができる。
【発明を実施するための最良の形態】
【００２６】
以下、本発明の好ましい実施形態に係るウィンドウ組立体が具備された表示素子を、添付された図面を参照して詳しく説明する。
【００２７】
図３ａ及び図３ｂは、本発明の好ましい実施形態に係るウィンドウ組立体が具備された表示素子の多様な変形例を概略的に示す部分断面図、図４ａないし図４ｄは、本発明の好ましい実施形態に係るウィンドウ組立体が具備された表示素子において、表示部上に具備される接着手段の多様な変形例を概略的に示す部分平面図、図５ａないし図５ｄは、本発明の好ましい実施形態に係るウィンドウ組立体が具備された表示素子のさらに他の多様な変形例を概略的に示す部分断面図、図６ａないし図６ｃは、本発明の好ましい実施形態に係るウィンドウ組立体が具備された表示素子において接着手段の他の変形例を概略的に示す部分断面図である。
【００２８】
本発明の好ましい実施形態に係るウィンドウ組立体が具備された表示素子３００は、所定の開口が形成され、前記開口周縁の一方に所定の段差３１２が形成されたケース部３１０、ケース部３１０の一方面に形成される前記段差３１２に、一方面が連結されるウィンドウ部材３３０、ウィンドウ部材３３０の段差３１２と連結される面の他方面に、一方面が近接配置される表示部３５０、表示部３５０及びウィンドウ部材３３０を相互に接着させるために表示部３５０及びウィンドウ部材３３０の間に具備される接着手段３９０、及び表示部３５０に光を透写するために表示部３５０のウィンドウ部材３３０と近接配置される面の他方面に設けられるバックライトユニット３７０、を含んでなる。
【００２９】
図３ａ及び図３ｂに示されるように、ケース３１０には所定の開口が形成され、前記開口は使用者に表示画面を提供するように構成される。前記開口が形成されたケース３１０には、形成された前記開口の周縁に沿って所定の段差３１２が形成される。この段差７１２は、前記開口周縁に沿ってその全体に形成されることが好ましいが、前記開口周縁の少なくとも一部以上に形成されることも可能である。
【００３０】
この段差３１２は、ケース３１０の一方面に形成されることが好ましく、これにウィンドウ３３０が連結される。図面上には図示されないが、要求される特性によって、すなわち、ケース３１０に対して両面にウィンドウ３３０が必要な場合や、ケース３１０に形成された前記開口周縁の内面にホールを設け、ここにウィンドウ３３０を挿入固定する場合など、必要に応じて、段差３１２以外の他の形状とすることも可能である。この場合、ウィンドウ３３０が連結可能な構成であれば充分であり、また、この段差３１２はケース３１０に形成された前記開口の周縁上の全部または一部に形成可能であり、これも要求される特性による。
【００３１】
ウィンドウ３３０は、少なくとも可視光線領域の光が透過されうる材料からなり、後述する表示部３５０から放出される表示信号がこれを通過して使用者に認識されるように構成される。
【００３２】
表示部３５０は、ケース３１０の内部に内蔵され、表示信号を放出してこれを使用者が認識するようにケース３１０の前記開口及びウィンドウ３３０に対応して構成され、この表示部３５０は、液晶からなる液晶表示装置であることも可能であり、その他の用途として構成される表示手段であることも可能である。
【００３３】
表示部３５０は、ウィンドウ３３０の他方面に一方面が近接配置されてなり、より正確には、表示部３５０の外周が、表示部３５０に近接配置されるウィンドウ３３０の外周に対応する大きさを有している。すなわち、相互に近接配置される表示部３５０とウィンドウ３３０は、同じ外周を持ち、近接配置させる際に各近接配置面の外周が相互に正確に一致する。
【００３４】
表示部３５０及びウィンドウ３３０が相互に近接配置される際に、この表示部３５０及びウィンドウ３３０の間には、近接配置される表示部３５０及びウィンドウ３３０を相互に接着させる接着手段が具備され、本実施形態の接着手段は、テープ３９０であるが、その他の同様の機能を有する他の部材であってもよい。
【００３５】
表示部３５０及びウィンドウ３３０の間に具備されるテープ３９０は、図４ａないし図４ｄに示されるように、表示部３５０のウィンドウ３３０が近接配置される面に、表示部３５０の外形寸法より小さいか（図４ａ、図４ｂ参照）、または同寸法（図４ｃ、図４ｄ参照）で形成されることが可能である。表示部３５０には、これに表示される表示信号がウィンドウ３３０及びケース３１０の前記開口を通過して使用者に感知されえるように、テープ３９０による所定の開型または閉型の開口が形成される。
【００３６】
通常、長方形で構成されるウィンドウ３３０及び表示部３５０において、テープ３９０は表示部３５０とウィンドウ３３０の各近接配置される面上の最外側（図４ｃ、図４ｄ参照）に一致するように形成される。すなわち、テープ３９０の外周が表示部３５０及び／またはウィンドウ３３０の外形寸法に合うように形成され、図４ｃのように、長方形でなる表示部３５０の対向する辺に対応して構成することができ、また、図４ｄのように長方形でなる表示部３５０の外周に沿って所定の閉区間を成しつつ構成されることもできる。このようなテープ３９０の構成は、図４ａ及び図４ｂのように、テープ３９０が表示部３５０の外形寸法より小さい場合にも可能である。
【００３７】
表示部３５０が表示信号を表示するために、表示部３５０には、表示部３５０のウィンドウ３３０が近接配置される面の他方面に、バックライトユニット３７０が提供されて、表示部３５０に少なくとも可視光線領域の光を透写させる。ここで、前記他方面は、表示部３５０のウィンドウ３３０が近接配置される面の背面であることが好ましい。
【００３８】
このバックライトユニット３７０にはハウジング手段が具備され、図３ａ、図５ａ及び図５ｃのように前記ハウジング手段により、表示部３５０の外周面、すなわち直方体でなる表示部３５０のウィンドウ３３０に近接配置される一方面およびバックライトユニット３７０が提供される他方面以外の４面が囲まれる。
【００３９】
バックライトユニット３７０に具備される前記ハウジング手段は、その要求される剛性及び機能によって多様な使用例が可能であるため、本明細書の図面上には、これをバックライトユニット３７０と区別せずに図示している。
【００４０】
また、バックライトユニット３７０にはハウジング手段が具備され、図３ｂ、図５ｂ及び図５ｄのように前記ハウジング手段により、表示部３５０の外周面、すなわち直方体でなる表示部３５０のウィンドウ３３０に近接配置される一方面およびバックライトユニット３７０が提供される他方面以外の４面と、ウィンドウ３３０の外周面、すなわち直方体でなるウィンドウ３３０において表示部３５０が近接配置される一方面と接する４面とが囲まれうる。
【００４１】
上述のようなウィンドウ３３０は、このような構成以外にも、図５ａないし図５ｄに示されるように、ケース３１０に形成された段差３１２に一致するように段差３３２を成してケース３１０の前記開口を充填するように構成されることもできる。
【００４２】
このとき、ケース３１０は図５ａ及び図５ｂのように内向段差３１２を備えることができ、図５ｃ及び図５ｄのように外向段差３１２を備えることもできる。それぞれの変形例による段差３１２には、ウィンドウ３３０が接し、ウィンドウ３３０は、段差３１２に一致する形状でケース３１０の前記開口を充填できるように段差３３２が備えられることも可能である。ケース３１０の段差３１２は、図面に示されるような段差３１２以外にさらに複雑化された段差３１２であることもあり、このとき、ウィンドウ３３０の段差３３２もまたこれに一致するように複雑化されうる。
【００４３】
また、テープ３９０は、図６ａないし図６ｃに示されるように、バックライトユニット３７０とケース３１０の間にさらに具備されることもできる。この場合に、テープ３９０は、表示部３５０とウィンドウ５３０の間に具備されるテープ３９０がバックライトユニット３７０とケース３１０の間にさらに延長された一体型で設けられることもでき、また分離型で設けられることもできる。
【００４４】
以上に説明された各表示素子３００の変形例は、いずれもウィンドウ３３０と表示部３５０の間に間隙ｇ３を有し、この間隙ｇ３は、図２に示されたような従来の構造の表示素子１００での間隙ｇ１よりさらに小さな値であるので、表示素子３００の薄型化が可能であり、ウィンドウ３３０と表示部３５０をテープ３９０によって接着させて組立てることができるので、接合空間の確保が容易になり、従来構造の表示素子１００に比べて簡単に組立てることができ、これによる諸費用を節減することができる。
【００４５】
以下に、本発明の好ましい実施形態に係るウィンドウ組立体が具備された表示素子を含む携帯用端末を、添付された図面を参照して詳しく説明する。
【００４６】
図７は、本発明の好ましい実施形態に係るウィンドウ組立体が具備された表示素子を含む携帯用端末を示す外観斜視図である。
【００４７】
本発明の好ましい実施形態によるウィンドウ組立体が具備された表示素子を含む携帯用端末３は、上述された本発明の好ましい実施形態に係るウィンドウ組立体が具備された表示素子３００、この表示素子３００に表示信号を入力するために構成される入力部４００、及びこの入力部４００の入力信号及び前記表示素子の表示信号を制御する制御部（図示せず）、を含んでなる。
【００４８】
図７を参照すれば、表示素子３００は、ウィンドウ３３０と表示部３５０の間の間隙ｇ３を有する表示素子３００を備え、この表示素子３００に表示信号を入力するための入力部４００が備えられる。この入力部４００は、通常の入力部４００であり、使用者の手作業によるキーパッド、音声による音声認識部、通信信号による受信部、端末機３に付着されるカメラによる光入射認識部、及びその外の通常的に入力信号が発生可能な部材を含む。
【００４９】
また、端末機３には、入力部４００の入力信号及び表示素子３００の表示信号を制御するために、通常の制御部が構成される。
【００５０】
このように構成された端末機３は、図７に示された形状も可能でありが、これ以外の表示素子３００、入力部４００及び制御部を具備する他の形状も可能であり、表示素子３００でのウィンドウ３３０と表示部３５０の間の間隙ｇ３によって端末機３の厚さｔ３が、より正確には、端末機３で表示素子３００として構成される部位の厚さｔ３が、図１に示される従来の端末機１での厚さｔ１に比べて薄型化されうる。
【００５１】
以上、添付した図面を参照して本発明について詳細に説明したが、これは例示的なものに過ぎず、当該技術分野における通常の知識を有する者であれば、多様な変形及び均等な他の実施形態が可能であるということを理解することができる。
【図面の簡単な説明】
【００５２】
【図１】従来の携帯用端末を示す外観斜視図である。
【図２】図１の表示素子の一部を概略的に示す断面図である。
【図３ａ】本発明の好ましい実施形態に係るウィンドウ組立体が具備された表示素子の変形例を概略的に示す部分断面図である。
【図３ｂ】本発明の好ましい実施形態に係るウィンドウ組立体が具備された表示素子の他の変形例を概略的に示す部分断面図である。
【図４ａ】本発明の好ましい実施形態に係るウィンドウ組立体が具備された表示素子の、表示部上に具備される接着手段の変形例を概略的に示す部分平面図である。
【図４ｂ】本発明の好ましい実施形態に係るウィンドウ組立体が具備された表示素子の、表示部上に具備される接着手段の他の変形例を概略的に示す部分平面図である。
【図４ｃ】本発明の好ましい実施形態に係るウィンドウ組立体が具備された表示素子の、表示部上に具備される接着手段の他の変形例を概略的に示す部分平面図である。
【図４ｄ】本発明の好ましい実施形態に係るウィンドウ組立体が具備された表示素子の、表示部上に具備される接着手段の他の変形例を概略的に示す部分平面図である。
【図５ａ】本発明の好ましい実施形態に係るウィンドウ組立体が具備された表示素子の、更に他の変形例を概略的に示す部分断面図である。
【図５ｂ】本発明の好ましい実施形態に係るウィンドウ組立体が具備された表示素子の、更に他の変形例を概略的に示す部分断面図である。
【図５ｃ】本発明の好ましい実施形態に係るウィンドウ組立体が具備された表示素子の、更に他の変形例を概略的に示す部分断面図である。
【図５ｄ】本発明の好ましい実施形態に係るウィンドウ組立体が具備された表示素子の、更に他の変形例を概略的に示す部分断面図である。
【図６ａ】本発明の好ましい実施形態に係るウィンドウ組立体が具備された表示素子の、接着手段の変形例を概略的に示す部分断面図である。
【図６ｂ】本発明の好ましい実施形態に係るウィンドウ組立体が具備された表示素子の、接着手段の他の変形例を概略的に示す部分断面図である。
【図６ｃ】本発明の好ましい実施形態に係るウィンドウ組立体が具備された表示素子の、接着手段の他の変形例を概略的に示す部分断面図である。
【図７】本発明の好ましい実施形態に係るウィンドウ組立体が具備された表示素子を含む携帯用端末を示す外観斜視図である。
【符号の説明】
【００５３】
１、３    携帯用端末、
１００、３００    表示素子部、
１１０、３１０    ケース、
１３０、３３０    ウィンドウ、
１５０、３５０    表示部、
１７０、３７０    バックライトユニット、
１９０、３９０    テープ。
【図１】
2007140471.tif 000003
【図２】
2007140471.tif 000004
【図３ａ】
2007140471.tif 000005
【図３ｂ】
2007140471.tif 000006
【図４ａ】
2007140471.tif 000007
【図４ｂ】
2007140471.tif 000008
【図４ｃ】
2007140471.tif 000009
【図４ｄ】
2007140471.tif 000010
【図５ａ】
2007140471.tif 000011
【図５ｂ】
2007140471.tif 000012
【図５ｃ】
2007140471.tif 000013
【図５ｄ】
2007140471.tif 000014
【図６ａ】
2007140471.tif 000015
【図６ｂ】
2007140471.tif 000016
【図６ｃ】
2007140471.tif 000017
【図７】
2007140471.tif 000018